(57)【要約】【課題】利用者が、異なるサービス会社のエリアでも、再度接続処理をすることなく、かつ、利用者を特定できる自動接続無線ＬＡＮシステムとその管理サーバを提供することを目的とする。【解決手段】複数の端末１０Ａが無線で接続された一つ以上の無線ＬＡＮシステムを備えた自動接続無線ＬＡＮシステムであって、契約したユーザの契約ユーザ管理のデータを記憶した管理サーバと、最新の契約ユーザ管理のデータをシステムで同期をとりながら記憶する記憶部を有する契約端末１０Ａと、前記契約ユーザ管理機能のデータにより無線ＬＡＮの接続の権限を認証する自動認証手段６４と、を備えた、自動接続無線ＬＡＮシステム。【選択図】図１
2011114350.tif 000002
【特許請求の範囲】
【請求項１】
複数の端末が無線で接続された一つ以上の無線ＬＡＮシステムを備えた自動接続無線ＬＡＮシステムであって、
契約したユーザの契約ユーザ管理のデータを記憶した管理サーバと、
最新の契約ユーザ管理データをシステムで同期をとりながら記憶する記憶部を有する契約端末と、
前記契約ユーザ管理データにより無線ＬＡＮ接続の権限を認証する自動認証手段と、
を備えた、
自動接続無線ＬＡＮシステム。
【請求項２】
前記契約ユーザ管理機能の物理的認証のデータが、無線ＬＡＮ識別子とパスワードである請求項１に記載の自動接続無線ＬＡＮシステム。
【請求項３】
前記契約ユーザ管理機能の論理的認証のデータが、無線ＬＡＮ区間におけるユーザＩＤとパスワードとである請求項１に記載の自動接続無線ＬＡＮシステム。
【請求項４】
前記契約端末と前記管理サーバとの間で、暗号化して送受信可能な暗号化手段をさらに備えた請求項１から３のいずれかに記載の自動接続無線ＬＡＮシステム。
【請求項５】
自動接続無線ＬＡＮシステムに使用される管理サーバであって、
契約したユーザの契約ユーザ管理機能のデータを記憶する管理データ記憶部と、
前記契約ユーザ管理機能のデータにより無線ＬＡＮの自動認証手段と、
を備えた管理サーバ。
【発明の詳細な説明】
【技術分野】
【０００１】
本発明は、自動接続無線ＬＡＮシステム、およびその管理サーバに関する。
【背景技術】
【０００２】
現在は、いつでもどこでも通信可能なことを実現する目的で無線ＬＡＮシステムが普及しつつある。
【０００３】
しかし、無線ＬＡＮシステムのアクセスポイントの通信距離はたかだか数百メートルであるため、携帯電話網の基地局などと比較して、多数のアクセスポイントを設置する必要がある。
【０００４】
このため、現在では、多数の会社の無線ＬＡＮシステムが併存している。会社が異なると、無線ランシステムの使用者は、図７に示すように、接続の度に、無線ランを構成する無線アクセスポイントと端末につけられた識別子であるＳＳＩＤ（Ｓｅｒｖｉｃｅ  Ｓｅｔ  Ｉｄｅｎｔｉｆｉｅｒ）とＫｅｙの入力を行い、物理接続を確認して初めて、サービスをうけることが出来た。使用者は、異なる会社のサービスエリアが異なるごとに、物理接続を確認する操作をしなければならず、多くの手数を要していた。
【０００５】
従来の技術としては、ただ乗りを防ぐためマルチホップ網の宛先別の経路情報と、自ノードが接続しているサーバに対応するサービスＩＤである登録ＩＤを各アクセスポイントの記憶装置に記憶して、宛先が登録ＩＤに符合する場合は、自ノードが接続されているサーバへ当該パケットを転送し、宛先が異なる場合は、当該パケットの宛先を選択して、その経路へ当該パケットを転送する提案がされている（特許文献1等参照）。
しかし、使用者は、異なる会社のサービスエリアが異なるごとに、物理接続を確認する操作をしなければならず、多くの手数を要していることに変わりがない。
【０００６】
一方、利用者のみに提供している無線ＬＡＮ基地局を複数の人間に共有できる環境として、ＦＯＮが提案されている。ＦＯＮは、ＩＳＰ（Ｉｎｔｅｒｎｅｔ  Ｓｅｒｖｉｃｅ  Ｐｒｏｖｉｄｅｒ）やＡＤＳＬ・光通信事業者の回線に重畳して、ＦＯＮ  ＡＰへのアクセス権のある人は、どのエリアでも使える。加えて、その使えるエリアのオーナーへは、利用料が戻ってくるというモデルで展開されている。しかし、実際の利用に関して、ＦＯＮモデムでの利用者が特定できないという問題が有り、犯罪の温床になる可能性が有った。
【先行技術文献】
【特許文献】
【０００７】
【特許文献１】ＷＯ／２００９／１２８４７１号公報
【発明の概要】
【発明が解決しようとする課題】
【０００８】
したがって、本発明では、利用者が、異なるサービス会社のエリアでも、再度接続処理をすることなく、かつ、利用者を特定できる自動接続無線ＬＡＮシステムとその管理サーバを提供することを目的とする。
【課題を解決するための手段】
【０００９】
本発明者らは鋭意検討した結果、上記課題に対して契約ユーザ管理のデータを記憶した管理サーバと、最新の契約ユーザ管理のデータをシステムで同期をとりながら記憶する記憶部を有する契約端末とを有機的に活用することに着目して、下記の発明を完成するに至った。
【００１０】
（１）  複数の端末が無線で接続された一つ以上の無線ＬＡＮシステムを備えた自動接続無線ＬＡＮシステムであって、契約したユーザの契約ユーザ管理のデータを記憶した管理サーバと、最新の契約ユーザ管理のデータをシステムで同期をとりながら記憶する記憶部を有する契約端末と、前記契約ユーザ管理機能のデータにより無線ＬＡＮの接続の権限を認証する自動認証手段と、を備えた、自動接続無線ＬＡＮシステム。
【００１１】
（１）の発明に係る自動接続無線ＬＡＮシステムは、複数の端末が無線で接続された一つ以上の無線ＬＡＮシステムを備え、契約したユーザの契約ユーザ管理のデータを記憶した管理サーバと、最新の契約ユーザ管理のデータをシステムで同期をとりながら記憶する記憶部を有する契約端末と、前記契約ユーザ管理のデータにより無線ＬＡＮの権限を認証する自動認証手段と、を備える。
【００１２】
契約端末は記憶部を有する。その記憶部には、最新の契約ユーザ管理のデータをシステムで同期をとりながら記憶している。契約端末が、契約している無線ＬＡＮのサービスエリアに入った場合は、記憶している契約ユーザの管理データを読み出して、本発明の自動接続無線ＬＡＮシステムにアクセスをする。自動接続無線ＬＡＮシステムの自動認証手段は読みだされアクセスされた契約ユーザ管理のデータに基づき契約ユーザを認証して、接続をおこなう。
【００１３】
このようにして、契約者は、無線ＬＡＮシステムサービス会社のエリアが変わるごとに、接続処理をしなければならないわずらわしさから解放される。
【００１４】
ここで、契約端末は、契約ユーザの管理データが容量の記憶装置と無線通信機能を持つパーソナルコンピュータにより実現することができる。また、無線通信機能と記憶手段を有するビデオカメラのような映像機器であってもよいし、同機能を具備した携帯電話端末であっても良い。
【００１５】
（２）  前記契約ユーザ管理機能の物理的認証のデータが、無線ＬＡＮ識別子とパスワードである（１）に記載の自動接続無線ＬＡＮシステム。
【００１６】
（２）に記載の発明に係る自動接続無線ＬＡＮシステムは、契約ユーザ管理機能の物理的認証のデータが、無線ＬＡＮ識別子とパスワードである。したがって、確実に物理的認証をして、接続することができる。
【００１７】
ここで、無線ＬＡＮ識別子としては、無線ＬＡＮを構成する無線ＬＡＮアクセスポイント端末につけられた識別子であるＳＳＩＤ（Ｓｅｒｖｉｃｅ  Ｓｅｔ  Ｉｄｅｎｔｉｆｉｅｒ）が望ましいが、これと同等な識別子も採用することができる。また、パスワードは契約者が自己に適したパスワードを選択することができる。
【００１８】
（３）  前記契約ユーザ管理機能の論理認証のデータが、無線ＬＡＮ区間におけるユーザＩＤとパスワードとである（１）に記載の自動接続無線ＬＡＮシステム。
【００１９】
（３）に記載の発明に係る自動接続無線ＬＡＮシステムは、契約ユーザ管理機能の論理認証のデータが、無線ＬＡＮ識別子とパスワードである。したがって、確実に論理認証をして、接続することができる。
【００２０】
（４）  前記契約端末と前記管理サーとの間で、暗号化して送受信可能な暗号化手段をさらに備えた（１）から（３）のいずれかに記載の自動接続無線ＬＡＮシステム。
【００２１】
（４）に記載の発明に係る自動接続無線ＬＡＮシステムは、契約端末と前記管理サーバとの間で、暗号化して送受信可能な暗号化手段、を備えるので、大切な個人情報である、無線ＬＡＮ識別子とそのパスワード並びに論理認証の識別子であるＩＤとそのパスワードを暗号化して送受信するので、外部に漏洩することを防止することが出来る。
【００２２】
（５）  自動接続無線ＬＡＮシステムに使用される管理サーバであって、契約したユーザの契約ユーザ管理機能のデータを記憶する管理データ記憶部と、前記契約ユーザ管理機能のデータにより無線ＬＡＮの自動認証手段と、を備えた管理サーバ。
【００２３】
（５）に記載の発明に係る管理サーバは、契約したユーザの契約ユーザ管理機能のデータを記憶する管理データ記憶部と、前記契約ユーザ管理機能のデータにより無線ＬＡＮの自動認証手段と、を備えるので、自動接続無線ＬＡＮシステムに使用されることにより（１）に記載の自動接続無線ＬＡＮシステムとして機能することができる。
【発明の効果】
【００２４】
以上説明したように、本発明によれば、利用者が、異なるサービス会社のエリアでも、再度接続処理をすることなく、かつ、利用者を特定できる自動接続無線ＬＡＮシステムとその管理サーバを提供することができる。
【図面の簡単な説明】
【００２５】
【図１】本発明の実施例である、自動接続無線ＬＡＮシステムを示す図である。
【図２】本発明の自動接続無線ＬＡＮシステムの公衆無線ＬＡＮ環境での初期の動作フローを説明する図である。
【図３】本発明の自動接続無線ＬＡＮシステムのＡＤＳＬ・光接続環境での初期の導入時の動作フローを説明する図である。
【図４】本発明の自動接続無線ＬＡＮシステムをＡＤＳＬ・光接続環境での導入後の動作を説明する図である。
【図５】本発明の自動接続無線ＬＡＮシステムの公衆無線ＬＡＮ環境での導入後の動作フローを説明する図である。
【図６】本発明に使用するサーバのハードウェアの一例である。
【図７】従来の無線ＬＡＮシステムの動作フローを説明する図である。
【発明を実施するための形態】
【００２６】
以下、本発明を実施するための形態について、図を参照しながら説明する。なお、これはあくまでも一例であって、本発明の技術的範囲はこれに限られるものではない。
【実施例１】
【００２７】
図１は、本発明の実施例である自動接続無線ＬＡＮシステムを示す図である。図１に示すように、自動接続無線ＬＡＮシステム１は、複数の端末１０Ａ、１０Ｂ・・・と、無線ＬＡＮ基地局２０Ａ、２０Ｂ・・・と、管理サーバ６０と、管理サーバ６０と自動接続無線ＬＡＮシステムとを相互に接続するインターネット回線と、を有する。
【００２８】
管理サーバ６０は、契約したユーザの契約ユーザ管理のデータを記憶する記憶装置６２と、契約ユーザ管理データにより無線ＬＡＮ接続の権限を認証する自動認証手段６４と、契約端末１０Ａに暗号化して情報を送る暗号化手段６６とがある。管理サーバ６０は、後述のハードウェアにより実現することができる。1台でも実現できるし、規模が大きな場合は、複数のハードウェアをＬＡＮ接続しても良い。
【００２９】
次に、本システムの動作について図１から図５を参照して説明をする。図２に示すように、公衆無線ＬＡＮの電波を受信した状態で（Ｓ３０）、ユーザがＳＳＩＤを選択する（Ｓ１０）。この場合、ＰＣのＯＳの標準機能である無線ＬＡＮ（Ｗｉ−Ｆｉ：Ｗｉｒｅｌｅｓｓ  Ｆｉｄｅｌｉｔｙともいう。）接続用のユーテイリテイによりＳＳＩＤを認識している。選択したＳＳＩＤに対応するネットワークキーをユーザが入力をする（Ｓ２０）。入力を受けた端末１０Ａから電波を受信している基地局２０Ａに対して、ＳＳＩＤ及びネットワークキーを送信し、認証を行う（Ｓ４０）。基地局２０Ａ側では、受信した情報をもとに、認証を行い、ＯＫもしくはＮＧを端末に対して送信する（Ｓ４０）。物理的な認証がＯＫの場合（Ｓ５０）、契約エリアであれば、登録用ＨＰが立ち上がり、論理的認証に必要な「ＩＤ」及び「パスワード」の入力を促す（Ｓ７０）。ただし、ローミング先のエリアの場合、各ローミング事業者が提供している論理認証用のＨＰに対して、「ＩＤ」「パスワード」の入力を促す。
【００３０】
論理認証用のＨＰに投入されたユーザＩＤ及びパスワードにより管理サーバ６０の自動認証手段６４で認証を行い、ＯＫもしくはＮＧを端末に対して送信する（Ｓ１００）。論理認証がＯＫの場合（Ｓ１１０）、管理サーバ６０より端末１０Ａに対して、アプリケーションソフトＷｉ２  Ｃｏｎｎｅｃｔをダウンロードするページへ誘導する。だが、ローミングエリアではローミング提供元のポリシーに従う。端末１０Ａでは、ダウンロードされたアプリケーションソフトＷｉ２  Ｃｏｎｎｅｃｔのインストールが開始する。その時点で、ユーザに対してアプリケーションのインストールの有無を確認する。
【００３１】
アプリケーションソフトＷｉ２  Ｃｏｎｎｅｃｔのインストールが終了すると、当該ソフトは、ＯＳや端末１０Ａの情報・状況を確認して、基地局関連情報の認識機能により、「端末のＭＡＣアドレス」「接続している無線ＬＡＮ基地局のＳＳＩＤ」「接続している無線ＬＡＮ基地局のネットワークキー」「接続している無線ＬＡＮネットワークのＢＳＳＩＤ（Ｂａｓｉｃ  Ｓｅｒｖｉｃｅ  Ｓｅｔ  Ｉｄｅｔｉｆｉｅｒ）」に関する情報を取得する。情報を取得したアプリケーションソフトＷｉ２  Ｃｏｎｎｅｃｔは、接続情報の即時送信機能により、「端末のＭＡＣアドレス」「ユーザＩＤ」「パスワード」「ＢＳＳＩＤ」「無線ＬＡＮ基地局のＳＳＩＤ」「無線ＬＡＮ基地局のネットワークキー」「接続開始時間」を管理サーバ６０へ送信する（Ｓ１３０）。アプリケーションソフトＷｉ２  Ｃｏｎｎｅｃｔでは、上記で送信された情報を、接続情報蓄積機能により、管理ＤＢ及びＳＳＩＤ/ネットワークキーを管理しているＤＢの各々へ登録する（Ｓ１３０）。
【００３２】
ＳＳＩＤおよびネットワークキーをデータベースへ登録したのち、新たに登録した情報も含めた有効な全基地局関連情報（ＳＳＩＤエントリ情報）（ＳＳＩＤ/ネットワークキー情報）を全基地局関連情報（ＳＳＩＤエントリ情報）の送信機能により、アプリケーションソフトＷｉ２  Ｃｏｎｎｅｃｔへ送信する（Ｓ１４０）。有効な全基地局関連情報（ＳＳＩＤエントリ情報）を受信したアプリケーションソフトＷｉ２  Ｃｏｎｎｅｃｔは、全基地局関連情報（ＳＳＩＤエントリ情報）の受信機能により、情報を格納するとともに、ユーザへ対してインストールが終了したことを通知する（Ｓ１５０）。有効な全基地局関連情報（ＳＳＩＤエントリ情報）を受信した後、アプリケーションソフトＷｉ２  Ｃｏｎｎｅｃｔは、契約端末１０Ａの記憶部１０Ａ-1に記憶され（Ｓ１６０）、以後物理接続の認証および論理接続の認証を、自動的に実施し、ユーザ入力が全く不要なサービスを提供する。
【００３３】
次に、本発明の自動接続無線ＬＡＮシステムのＡＤＳＬ・光接続環境での初期の導入時の動作フローを図３を参照して説明をする。端末１０Ａが既に通信可能な状態になっている前提から登録フローを開始する。契約予定者は本発明の自動接続無線ＬＡＮシステム１の
ＩＤの登録が可能なＨＰへアクセスして、実際の登録フォームを閲覧する（Ｓ２４０）。契約予定者が登録に必要な内容を登録・入力すると、管理サーバ６０での入力情報の確認と登録を行う（Ｓ２５０）。入力・登録が完了すると同時に、管理サーバ６０から端末１０Ａに対して、アプリケーションソフトＷｉ２  Ｃｏｎｎｅｃｔのダウンロードページに誘導する。端末１０Ａではダウンロードされたアプリケーションのインストールが開始する（Ｓ３２０）。その時点で、ユーザに対してアプリケーションのインストールの状態を表示する。アプリケーションソフトＷｉ２  Ｃｏｎｎｅｃｔのインストールが終了すると、当該ソフトは、ＯＳや端末１０Ａの情報・状況を確認して、基地局関連情報の認識機能およびユーザ関連情報の認識機能により、「端末のＭＡＣアドレス」「接続している無線ＬＡＮ基地局のＳＳＩＤ」「接続している無線ＬＡＮ基地局のネットワークキー」「接続している無線ＬＡＮネットワークのＢＳＳＩＤ」に関する情報を取得する。情報を取得した当該ソフトは、接続情報の即時送信機能により「端末のＭＡＣアドレス」「ユーザＩＤ」「パスワード」「ＢＳＳＩＤ」「無線ＬＡＮ基地局のＳＳＩＤ」「無線ＬＡＮ基地局のネットワークキー」「接続開始時間」を管理サーバ６０へ送信する（Ｓ３４０）。アプリケーションソフトＷｉ２  Ｃｏｎｎｅｃｔで接続処理を行った接続以外の「接続開始時間」はアプリケーションソフトＷｉ２  Ｃｏｎｎｅｃｔの起動開始時間とする。
【００３４】
アプリケーションソフトＷｉ２  Ｃｏｎｎｅｃｔでは、上記で送信された情報を、接続情報蓄積機能により、管理サーバ６０のデータベースおよびＳＳＩＤ／ネットワークキーットワークキーを管理しているデータベースの各々へ登録する（Ｓ３５０）。ＳＳＩＤ及びネットワークキーをデータベースへ登録した後、新たに登録した情報も含めた有効な全基地局関連情報（ＳＳＩＤエントリ情報）（ＳＳＩＤ/ネットワークキー情報）を全基地局関連情報（ＳＳＩＤエントリ情報）の送信機能により、アプリケーションソフトＷｉ２  Ｃｏｎｎｅｃｔへ送信する（Ｓ３６０）。有効な線基地局関連情報（ＳＳＩＤエントリ情報）を受信したアプリケーションソフトＷｉ２  Ｃｏｎｎｅｃｔは、全元地局関連情報（ＳＳＩＤエントリ情報）の受信機能により、情報を契約端末１０Ａの記憶部１０Ａ-1格納するとともに、ユーザへ対してインストールが終了したことを通知する（Ｓ３７０）。有効な全基地局関連情報（SSIDエントリ情報）を受信した後、アプリケーションソフトＷｉ２  Ｃｏｎｎｅｃｔは、物理接続の認証および論理接続の認証を、自動的に実施し、ユーザ入力が全く不要なサービスを提供する。
【００３５】
本発明の自動接続無線ＬＡＮシステム１を導入した後、アプリケーションソフトＷｉ２  Ｃｏｎｎｅｃｔが認識している屋内の無線ＬＡＮエリアに入った場合の動作フローは図４に示す通りである。
【００３６】
屋内の無線ＬＡＮの電波を受信した状態で、アプリケーションソフトＷｉ２  ＣｏｎｎｅｃｔのＳＳＩＤ照合機能によりＳＳＩＤの照合がおこなわれる（Ｓ１３０Ｈ）。しかも、ユーザに対しては、アプリケーションソフトＷｉ２  Ｃｏｎｎｅｃｔの状態を確認する画面を表示している場合には、ＳＳＩＤ関連情報表示機能により、再審の接続状態（ステータス：ＳＳＩＤ及び提供事業者名）を表示する。ＳＳＩＤ紹介機能により、ＳＳＩＤが一致した場合（今回は一致する場合）、物理接続の自動認証機能により、物理接続に必要となるＳＳＩＤおよびネットワークキーをＳＳＩＤの一致した屋内無線ＬＡＮ基地局へ送信する（Ｓ１４０Ｈ）。屋内無線ＬＡＮ基地局では、受信したＳＳＩＤおよびネットワークキーの認証を行い、認証が確認できた時点で、物理的な接続を確立・完了する（Ｓ１６０Ｈ）。
【００３７】
物理接続の確立を確認したアプリケーションソフトＷｉ２  Ｃｏｎｎｅｃｔは、論理接続の自動認証機能により、ユーザ認証を行う。すなわち、屋内無線ＬＡＮ基地局と認識しているため、ユーザＩＤ及びパスワードの情報で認証を行う。つまり、契約端末１０ＡのＭＡＣ  ＡｄｒｅｓｓをキーとしてＩＤ及びパスワードの問い合せを管理サーバ６０に行う（Ｓ１７０Ｈ）。ＩＤ及びパスワードが検索されて通知される（Ｓ１８０Ｈ）。通知されたＩＤ及びパスワードに基づき認証が行われる（Ｓ１９０Ｈ）。認証されるとアプリケーションソフトＷｉ２  Ｃｏｎｎｅｃｔにより、論理接続が完了し契約端末１０Ａに表示される（Ｓ２１０Ｈ）。なお、認証が不要な場合は、Ｓ１７０ＨからＳ２１０Ｈまでをスキップすることもできる。
【００３８】
ユーザ認証の完了を確認したアプリケーションソフトＷｉ２  Ｃｏｎｎｅｃｔは、その状態をＳＳＩＤ関連情報表示機能でユーザへ向けて表示するとともに、確立したことを表示する（Ｓ２１０Ｈ）。ユーザ認証完了後、アプリケーションソフトＷｉ２  Ｃｏｎｎｅｃｔは、管理サーバ６０に対して仮想パス（ＶＰＮ）の接続要求を行う（Ｓ２２０Ｈ）。仮想パス接続要求を受けた管理サーバ６０は、仮想パス確立に必要な認証を行い、ＯＫであれば、ＯＫを返信するとともに（Ｓ２３０Ｈ）、仮想パスを確立する（Ｓ２４０Ｈ）。
【００３９】
仮想パス確立後、アプリケーションソフトＷｉ２  Ｃｏｎｎｅｃｔの接続情報の即時送信機能により、完了した接続情報（ＢＳＳＩＤ・ＳＳＩＤ店ユーザ端末のＭＡＣアドレス・ＩＤ店時刻）を管理サーバ６０へ送信する（Ｓ２６０Ｈ）。管理サーバ６０は、接続情報を受信し、接続関連情報蓄積機能により、受信したすべての接続情報をデータベースに格納する。また、加えて、アプリケーションソフトＷｉ２  Ｃｏｎｎｅｃｔの基地局関連情報の送信機能により、接続完了した基地局の情報（ＢＳＳＩＤ・ＳＳＩＤ店ネットワークキー）を管理サーバ６０へ送信する（Ｓ２６０Ｈ）。管理サーバ６０は、基地局関連情報を受信し、基地局関連情報蓄積機能により、各レコード単位で、情報が最新の場合、受信した情報を格納・上書きする。管理サーバ６０は、全基地局関連情報（ＳＳＩＤエントリ情報）のアプリケーションソフトＷｉ２  Ｃｏｎｎｅｃｔへの送信機能により、アプリケーションソフトＷｉ２  Ｃｏｎｎｅｃｔに対して最新の全基地局関連情報（ＳＳＩＤエントリ情報）を送信する（Ｓ２７０Ｈ）。アプリケーションソフトＷｉ２  Ｃｏｎｎｅｃｔは、受信した全基地局関連情報（ＳＳＩＤエントリ情報）を、全基地局関連情報（ＳＳＩＤエントリ情報）の受信機能により、最新の基地局関連情報を格納する。
【００４０】
本システムを導入した後、アプリケーションソフトＷｉ２  Ｃｏｎｎｅｃｔが認識している屋内の無線ＬＡＮエリアに入った場合の動作フローは図５のとおりである。
【００４１】
屋内の無線ＬＡＮの電波を受信した状態で（Ｓ３０Ｍ）、アプリケーションソフトＷｉ２  ＣｏｎｎｅｃｔのＳＳＩＤ照合機能によりＳＳＩＤの照合が行われる（Ｓ３５Ｍ）。しかも、ユーザに対しては、アプリケーションソフトＷｉ２  Ｃｏｎｎｅｃｔの状態を確認する画面を表示している場合には、ＳＳＩＤ関連情報表示機能により、最新の接続状態（ステータス：ＳＳＩＤ及び提供事業者名）を表示する。ＳＳＩＤ紹介機能により、ＳＳＩＤが一致した場合（今回は一致する場合）、物理接続の自動認証機能により（Ｓ４０Ｍ）、物理接続に必要となるＳＳＩＤおよびネットワークキーをＳＳＩＤの一致した屋内無線ＬＡＮ基地局へ送信する（Ｓ５０Ｍ）。屋内無線ＬＡＮ基地局では、受信したＳＳＩＤおよびネットワークキーの認証を行い、認証が確認できた時点で、物理的な接続を確立・完了する（Ｓ６０Ｍ）。
【００４２】
物理接続の確立を確認したアプリケーションソフトＷｉ２  Ｃｏｎｎｅｃｔは、論理接続の自動認証機能により、ユーザ認証を行う。屋内無線ＬＡＮ基地局と認識しているため、ユーザＩＤ及びパスワードの情報で認証を行う（Ｓ５５Ｍ）。管理サーバ６０の認証サーバで認証を行い、ユーザ認証が確認できた時点で、ユーザ認証は完了する（Ｓ１１０Ｍ）。ユーザ認証の完了を確認したアプリケーションソフトＷｉ２  Ｃｏｎｎｅｃｔは、その状態をＳＳＩＤ関連情報表示機能でユーザへ向けて表示するとともに、確立したことを表示する。ユーザ認証完了後、アプリケーションソフトＷｉ２  Ｃｏｎｎｅｃｔは、管理サーバ６０に対して仮想パス（ＶＰＮ）の接続要求を行う（Ｓ１１５Ｍ）。仮想パス接続要求を受けた管理サーバ６０は、仮想パス確立に必要な認証を行い、ＯＫであれば、ＯＫを返信するとともに（Ｓ１１７Ｍ）、仮想パスを確立する（Ｓ１２０Ｍ）。
【００４３】
仮想パス確立後、アプリケーションソフトＷｉ２  Ｃｏｎｎｅｃｔの接続情報の即時送信機能により、完了した接続情報（ＢＳＳＩＤ・ＳＳＩＤ店ユーザ端末のＭＡＣアドレス・ＩＤ店時刻）を管理サーバ６０へ送信する（Ｓ１２０Ｍ）。管理サーバ６０は、接続情報を受信し、接続関連情報蓄積機能により、受信したすべての接続情報をデータベースに格納する（Ｓ１２０Ｍ）。また、加えて、アプリケーションソフトＷｉ２  Ｃｏｎｎｅｃｔの基地局関連情報の送信機能により、接続完了した基地局の情報（ＢＳＳＩＤ・ＳＳＩＤ店ネットワークキー）を管理サーバ６０へ送信する（Ｓ１３０）。管理サーバ６０は、基地局関連情報を受信し、基地局関連情報蓄積機能により、各レコード単位で、情報が最新の場合、受信した情報を格納・上書きする（Ｓ１４０Ｍ）。管理サーバ６０は、全基地局関連情報（ＳＳＩＤ円取り情報）のアプリケーションソフトＷｉ２  Ｃｏｎｎｅｃｔへの送信機能により、アプリケーションソフトＷｉ２  Ｃｏｎｎｅｃｔに対して最新の全基地局関連情報（ＳＳＩＤエントリ情報）を送信する（Ｓ１５０Ｍ）。アプリケーションソフトＷｉ２  Ｃｏｎｎｅｃｔは、受信した全基地局関連情報（ＳＳＩＤエントリ情報）を、全基地局関連情報（ＳＳＩＤエントリ情報）の受信機能により、最新の基地局席連情報を格納する（Ｓ１５０Ｍ）。
【００４４】
このようにして、本発明の自動接続無線ＬＡＮシステム１を導入後は、利用者が、異なるサービス会社のエリアでも、再度接続処理をすることなく、かつ、利用者を特定できる自動接続無線ＬＡＮシステムとその管理サーバを提供することができる。
【００４５】
〈コンピュータハードウエア〉
図６は、自動接続無線ＬＡＮシステム１で管理サーバ６０として使用することができるコンピュータ１０００のハードウェア構成の一例を示す。コンピュータ１０００は、ＣＰＵ（Ｃｅｎｔｒａｌ  Ｐｒｏｃｅｓｓｉｎｇ  Ｕｎｉｔ）１０１０、バスライン１００５、通信Ｉ／Ｆ１０４０、メインメモリ１０５０、ＢＩＯＳ（Ｂａｓｉｃ  Ｉｎｐｕｔ  Ｏｕｔｐｕｔ  Ｓｙｓｔｅｍ）１０６０、パラレルポート１０８０、ＵＳＢポート１０９０、グラフィック・コントローラ１０２０、Ｉ／Ｏコントローラ１０７０、並びにキーボード及びマウス・アダプタ等１０９２を備える。Ｉ／Ｏコントローラ１０７０には、ハード・ディスク１０７４、光ディスクドライブ１０７６、半導体メモリ１０７８、等の記憶手段を接続することができる。これらの記憶手段を記憶装置として使用することができる。グラフィック・コントローラ１０２０には、表示装置１０２２が接続されている。
【００４６】
ＢＩＯＳ１０６０は、コンピュータ１０００の起動時にＣＰＵ１０１０が実行するブートプログラムや、コンピュータ１０００のハードウェアに依存するプログラム等を格納する。これにより、図１で示した、管理サーバ６０のハードウェアが実現される。
【００４７】
光ディスクドライブ１０７６としては、例えば、ＣＤ−ＲＯＭドライブ、ＤＶＤ−ＲＯＭドライブ、ＤＶＤ−ＲＡＭドライブ、ＢＤ（Ｂｌｕ−ｒａｙ  Ｄｉｓｋ）−ＲＯＭドライブ等を使用することができる。その場合は、各ドライブに対応した光ディスク１０７７を使用する必要がある。光ディスク１０７７から光ディスクドライブ１０７６によりプログラムまたはデータを読み取り、Ｉ／Ｏコントローラ１０７０を介してメインメモリ１０５０またはハード・ディスク１０７４に提供することもできる。
【００４８】
コンピュータ１０００に提供される本発明によるコンピュータプログラムは、光ディスク１０７７、またはメモリーカード等の記録媒体に格納されてシステム管理者よって提供される。コンピュータプログラムは、Ｉ／Ｏコントローラ１０７０を介して、記録媒体から読み出され、又は通信Ｉ／Ｆ１０４０を介してダウンロードされることによって、コンピュータ１０００にインストールされ実行される。
【００４９】
以上、本発明について、本発明の技術的範囲は上記実施形態に記載の範囲には限定されない。例えば、無線ＬＡＮ識別子はＳＳＩＤで主に説明したが、ＳＳＩＤに限らず同等の機能をもつものであれば良い。多様な変更又は改良を加えることができる。そのような変更又は改良を加えた形態も本発明の技術的範囲に含まれ得ることが、特許請求の範囲の記載から明らかである。
【符号の説明】
【００５０】
１０Ａ、１０Ｂ  ・・・  契約端末
２０Ａ、２０Ｂ  ・・・  無線基地局
６０  管理サーバ
６２  記憶装置
６４  自動認証手段
６６  暗号化手段
【図１】
2011114350.tif 000003
【図２】
2011114350.tif 000004
【図３】
2011114350.tif 000005
【図４】
2011114350.tif 000006
【図５】
2011114350.tif 000007
【図６】
2011114350.tif 000008
【図７】
2011114350.tif 000009